(57)【要約】      （修正有）【課題】スクリーン領域間のつなぎ目を目立たないものとすることができるマルチ表示装置および投射型表示装置を提供する。【解決手段】光源ユニット１Ｃは、ライトバルブに供給されるＲＧＢの光を生成する赤色固体光源１０Ｒ、緑色固体光源１０Ｇおよび青色固体光源１０Ｂを有する。色度調整部５０は、光源ユニット１Ｃの青色固体光源１０Ｂと、スクリーン領域との間の光路上に配置されている。色度調整部５０は、青色固体光源１０Ｂによって生成された光によって励起可能な蛍光体を含有する蛍光部材５１を有する。蛍光部材５１は、青色固体光源１０Ｂによって生成された青色光のうち第１の部分について波長を維持したまま伝達し第２の部分についてより長い波長に変換して伝達するものである。色度調整部５０は第１および第２の部分の強度比を調整可能に構成されている。【選択図】図３
2015197592.tif 000002
【特許請求の範囲】
【請求項１】
マルチスクリーンを有するマルチ表示装置であって、
複数の投射型表示装置を備え、
前記複数の投射型表示装置の各々は、
前記マルチスクリーンを部分的になすスクリーン領域と、
前記スクリーン領域へ投射される光を変調するライトバルブと、
前記ライトバルブに供給されるＲＧＢの光としての赤色（Ｒ）光、緑色（Ｇ）光および青色（Ｂ）光のそれぞれを生成する赤色固体光源、緑色固体光源および青色固体光源を有する光源ユニットと、
前記光源ユニットの前記青色固体光源と前記スクリーン領域との間の光路上に配置された色度調整部とを含み、前記色度調整部は、前記青色固体光源によって生成された光によって励起可能な蛍光体を含有する蛍光部材を有し、前記蛍光部材は、前記青色固体光源によって生成された青色光のうち第１の部分について波長を維持したまま伝達し第２の部分についてより長い波長に変換して伝達するものであり、前記色度調整部は前記第１および第２の部分の強度比を調整可能に構成されている、マルチ表示装置。
【請求項２】
前記蛍光体部材は、単位面積当たり第１の蛍光体密度を有する第１の位置と、前記第１の蛍光体密度と異なる第２の蛍光体密度を有する第２の位置とを有し、
前記色度調整部は、前記蛍光部材を変位可能に保持する保持部を有する、
請求項１に記載のマルチ表示装置。
【請求項３】
前記色度調整部は、前記青色固体光源と前記ライトバルブとの間の光路上に配置されており、前記赤色固体光源および前記緑色固体光源の各々と前記ライトバルブとの間の光路から外れて配置されている、請求項１または２に記載のマルチ表示装置。
【請求項４】
前記光源ユニットは、前記赤色固体光源、前記緑色固体光源および前記色度調整部の各々と前記ライトバルブとの間の光路上に配置されたダイクロイックフィルタを有する、請求項１から３のいずれか１項に記載のマルチ表示装置。
【請求項５】
前記蛍光部材は、量子ドットにより構成された蛍光体を含有する、請求項１から４のいずれか１項に記載のマルチ表示装置。
【請求項６】
スクリーン領域と、
前記スクリーン領域へ投射される光を変調するライトバルブと、
前記ライトバルブに供給されるＲＧＢの光としての赤色（Ｒ）光、緑色（Ｇ）光および青色（Ｂ）光のそれぞれを生成する赤色固体光源、緑色固体光源および青色固体光源を有する光源ユニットと、
前記光源ユニットの前記青色固体光源と前記スクリーン領域との間の光路上に配置された色度調整部とを備え、前記色度調整部は、前記青色固体光源によって生成された光によって励起可能な蛍光体を含有する蛍光部材を有し、前記蛍光部材は、前記青色固体光源によって生成された青色光のうち第１の部分について波長を維持したまま伝達し第２の部分についてより長い波長に変換して伝達するものであり、前記色度調整部は前記第１および第２の部分の強度比を調整可能に構成されている、投射型表示装置。
【発明の詳細な説明】
【技術分野】
【０００１】
本発明は、複数の投射型表示装置を有するマルチ表示装置、および投射型表示装置に関するものである。
【背景技術】
【０００２】
特開２００６−２６１８４２号公報（特許文献１）によれば、複数の画像表示装置をつなげてマトリックス配置したマルチ表示装置が開示されている。これにより各画像表示装置のスクリーンよりも大きなスクリーンを構成することができる。
【０００３】
画像表示装置のひとつとして投射型表示装置が知られている。投射型表示装置が有する透過型スクリーンの前方に位置する観察者は、透過型スクリーンの前面に現れる映像を観察する。この映像は、透過型スクリーンの後方に位置するプロジェクタが透過型スクリーンの背面上に映像光を投射することによって生成される。
【０００４】
特開２００４−３４１２８２号公報（特許文献２）によれば、光源からの光を分光部材により３原色に分離し、この分光部材からの光を映像信号に応じてライトバルブによって強度変調しスクリーン上に投射する投射型表示装置が開示されている。またこの公報によれば、部品の交換の際に、輝度・色度を、映像信号を補正することによって調整することが開示されている。
【先行技術文献】
【特許文献】
【０００５】
【特許文献１】特開２００６−２６１８４２号公報
【特許文献２】特開２００４−３４１２８２号公報
【発明の概要】
【発明が解決しようとする課題】
【０００６】
マルチ表示装置のマルチスクリーンが投射型表示装置の各々のスクリーン領域によって構成される場合に、投射型表示装置の各々が有する光源の特性ばらつきに起因して、投射型表示装置間での色の違いが大きくなることがある。この結果、スクリーン領域間での色の不連続性が大きくなるので、マルチスクリーンにおけるスクリーン領域間のつなぎ目が、観察者にとって目立ったものとなってしまう。
【０００７】
上記特開２００４−３４１２８２号公報の技術においては、輝度・色度調整のために映像信号が補正される。このような電気的な信号処理による補正に頼る方法では、投射型表示装置間での色を十分に整合させることまでは難しい場合があり得る。
【０００８】
また上記公報の技術は、一の光源から分離された３原色の使用を前提としており、各原色が個別に生成されることが想定されたものではない。近年、光源として、赤色（Ｒ）光、緑色（Ｇ）光および青色（Ｂ）光のそれぞれを発する赤色（Ｒ）ＬＥＤ(Light Emitting Diode)、緑色（Ｇ）ＬＥＤおよび青色（Ｂ）ＬＥＤが用いられ始めており、上記公報は、この場合に特に適した調整方法を提供するものではない。
【０００９】
ＲＧＢ原色の各々が個別のＬＥＤにより生成される場合、青色ＬＥＤの発光波長のばらつきに起因して、青色（Ｂ）光の調整が必要となり得る。しかしながら青色光を視覚的に調整することは難しい。その理由のひとつとして、青色ＬＥＤの発光波長が短いことに起因して光が視覚的に紫へ近づくことと、青色光および赤色光の混色によって光が視覚的に紫へ近づくこととの区別がしにくいことがある。
【００１０】
本発明は以上のような課題を解決するためになされたものであり、その一の目的は、マルチスクリーンにおけるスクリーン領域間のつなぎ目を、観察者にとってより目立たないものとすることができるマルチ表示装置を提供することである。
【課題を解決するための手段】
【００１１】
本発明のマルチ表示装置は、マルチスクリーンを有するものであって、複数の投射型表示装置を有する。複数の投射型表示装置の各々は、スクリーン領域と、ライトバルブと、光源ユニットと、色度調整部とを含む。スクリーン領域はマルチスクリーンを部分的になしている。ライトバルブは、スクリーン領域へ投射される光を変調するものである。光源ユニットは、ライトバルブに供給されるＲＧＢの光としての赤色光、緑色光および青色光のそれぞれを生成する赤色固体光源、緑色固体光源および青色固体光源を有する。色度調整部は、光源ユニットの青色固体光源とスクリーン領域との間の光路上に配置されている。色度調整部は、青色固体光源によって生成された光によって励起可能な蛍光体を含有する蛍光部材を有する。蛍光部材は、青色固体光源によって生成された青色光のうち第１の部分について波長を維持したまま伝達し第２の部分についてより長い波長に変換して伝達するものである。色度調整部は第１および第２の部分の強度比を調整可能に構成されている。
【発明の効果】
【００１２】
本発明のマルチ表示装置によれば各投射型表示装置が、青色固体光源とスクリーン領域との間の光路上に配置された色度調整部を有する。これにより、調整が特に難しい青色について、投射型表示装置間での色の違いを抑えることができる。よってスクリーン領域間での色の不連続性を抑えることができる。よってマルチスクリーンにおけるスクリーン領域間のつなぎ目を、観察者にとってより目立たないものとすることができる。
【図面の簡単な説明】
【００１３】
【図１】本発明の実施の形態１におけるマルチ表示装置の構成を概略的に示す斜視図である。
【図２】図１のマルチ表示装置が有する投射型表示装置の各々の構成を概略的に示すブロック図である。
【図３】図２の投射型表示装置が有する光源ユニットおよび色度調整部の構成を概略的に示す断面図である。
【図４】図２の色度調整部と光源ユニットが有する青色ＬＥＤとの構成を概略的に示す平面図である。
【図５】図４の蛍光体プレートに塗布される蛍光体の発光特性を例示するグラフ図である。
【図６】図４の青色ＬＥＤが生成する光の波長のばらつきを例示するグラフ図である。
【図７】図４の青色ＬＥＤ自体からの光の波長分布（破線）、および青色ＬＥＤから生成されかつ蛍光体プレートを透過した光の波長分布（実線）を例示するグラフ図である。
【図８】図３の赤色ＬＥＤが生成する光、緑色ＬＥＤが生成する光、青色ＬＥＤが生成する光、および、青色ＬＥＤから生成されかつ蛍光体プレートを透過した光の各々の色度の例を示すＣＩＥ(Commission International de l'Eclairage)色度図である。
【発明を実施するための形態】
【００１４】
以下、図面に基づいて本発明の実施の形態について説明する。なお、以下の図面において同一または相当する部分には同一の参照番号を付しその説明は繰返さない。
【００１５】
図１を参照して、マルチ表示装置１００は、マルチスクリーン１０５を有し、複数の投射型表示装置９０によって構成されている。各投射型表示装置９０はスクリーン領域５を有する。スクリーン領域５はマルチスクリーン１０５を部分的になしている。言い換えれば、マルチスクリーン１０５は複数のスクリーン領域５によって構成されている。スクリーン領域５はマトリクス状に配列されている。
【００１６】
図２を参照して、各投射型表示装置９０は、スクリーン領域５（図１）に加えて、補正済光源合成ユニット１Ｃ（光源装置）とライトバルブ２と信号処理部３と投射レンズ４とを有する。補正済光源合成ユニット１Ｃからの光は光路（図中、矢印ＬＰ）を通って最終的にスクリーン領域５の背面上に投射される。ライトバルブ２は、スクリーン領域５へ投射される光を変調するものである。この変調は、信号処理部３からの駆動信号によってライトバルブ２が駆動されることで行なわれる。信号処理部３は外部からの映像信号を上記駆動信号へ変換するものである。信号処理部３は映像信号に対して、たとえば拡大・縮小などの信号処理を行なう。
【００１７】
補正済光源合成ユニット１Ｃ（光源装置）はＲＧＢ光源合成ユニット１（光源ユニット）および色度調整部５０を有する。ＲＧＢ光源合成ユニット１は、ライトバルブ２に供給されるＲＧＢの光としての赤色（Ｒ）光、緑色（Ｇ）光および青色（Ｂ）光のそれぞれを生成しかつ合成するものである。色度調整部５０は、後述するように、青色（Ｂ）光の色度を補正するものである。
【００１８】
図３を参照して、補正済光源合成ユニット１Ｃは、色度調整部５０と、それ以外の部分（ＲＧＢ光源合成ユニット１（図２）に対応）とを有する。ＲＧＢ光源合成ユニット１は筐体９と赤色ＬＥＤ１０Ｒ（赤色固体光源）と緑色ＬＥＤ１０Ｇ（緑色固体光源）と青色ＬＥＤ１０Ｂ（青色固体光源）とコリメートレンズ１３Ｒ、１３Ｇ、１３Ｂと、ダイクロイックフィルタ（ダイクロイックミラー）１６、１７とを有する。
【００１９】
赤色ＬＥＤ１０Ｒ、緑色ＬＥＤ１０Ｇおよび青色ＬＥＤ１０Ｂのそれぞれは赤色（Ｒ）光、緑色（Ｇ）光および青色（Ｂ）光を生成するものである。コリメートレンズ１３Ｒ、１３Ｇおよび１３Ｂのそれぞれは、赤色ＬＥＤ１０Ｒ、緑色ＬＥＤ１０Ｇおよび青色ＬＥＤ１０Ｂからの光をコリメートするものである。
【００２０】
ダイクロイックフィルタ１６および１７は、赤色（Ｒ）光、緑色（Ｇ）光および青色（Ｂ）光を合成した上で出射する（図中、矢印ＬＰ参照）ためのものである。この目的でダイクロイックフィルタ１６および１７は、赤色ＬＥＤ１０Ｒ、緑色ＬＥＤ１０Ｇおよび青色ＬＥＤ１０Ｂの各々とライトバルブ２（図２）との間の光路（図３における矢印ＬＰ）上に配置されている。ダイクロイックフィルタ１６は、赤色（Ｒ）光を反射し、緑色（Ｇ）光および青色（Ｂ）光を透過するものである。ダイクロイックフィルタ１７は、赤色（Ｒ）光および緑色（Ｇ）光を透過し、青色（Ｂ）光を反射するものである。
【００２１】
色度調整部５０は、青色ＬＥＤ１０Ｂとライトバルブ２（図２）との間の光路（図３における矢印ＬＰ）上に配置されている。よって色度調整部５０は、青色ＬＥＤ１０Ｂとスクリーン領域５（図２）との間の光路上に配置されていることになる。また色度調整部５０は、赤色ＬＥＤ１０Ｒおよび緑色ＬＥＤ１０Ｇの各々とライトバルブ２との間の光路からは外れて配置されている。
【００２２】
図４を参照して、色度調整部５０は蛍光体プレート５１（蛍光部材）および保持部５２を有する。蛍光体プレート５１は、青色ＬＥＤ１０Ｂの前面（図３に示す発光面２０）を覆うように配置されている。蛍光体プレート５１は、青色ＬＥＤ１０Ｂによって生成された光によって励起可能な蛍光体を含有している。蛍光体プレート５１は、たとえば、透明プレート上に蛍光体が塗布されることによって形成され得る。なお蛍光体プレート５１と青色ＬＥＤ１０Ｂとはできるだけ近いことが、光源のエタンデュを小さくする点では望ましい。
【００２３】
蛍光体プレート５１は、青色ＬＥＤ１０Ｂによって生成された青色光のうち、一部（第１の部分）について波長を維持したまま伝達し、別の一部（第２の部分）についてより長い波長に変換して伝達するものである。上記第１の部分は、言い換えれば、青色ＬＥＤ１０Ｂによって生成された青色光のうち蛍光体プレート５１を透過する部分（透過成分とも称する）である。また上記第２の部分は、言い換えれば、青色ＬＥＤ１０Ｂによって生成された青色光のうち、蛍光体プレート５１の蛍光体による光の吸収および放出によってその波長が変換される部分（波長変換成分とも称する）である。蛍光体から放出される光は、たとえば４８０ｎｍ程度のピーク波長を有する。蛍光体プレート５１は、蛍光を発することから、一種の補助光源とも言える。
【００２４】
蛍光体プレート５１は、単位面積当たり相対的に低い蛍光体密度（第１の蛍光体密度）を有する位置Ｐ１（第１の位置）と、単位面積当たり相対的に高い蛍光体密度（第１の蛍光体密度と異なる第２の蛍光体密度）を有する位置Ｐ２（第２の位置）とを有する。蛍光体プレート５１の位置によって単位面積当たり蛍光体密度を異ならしめるためには、たとえば、塗布される蛍光体の厚さ、または、単位面積当たりに塗布される蛍光体の面積が変化させられればよい。本実施の形態においては、蛍光体密度が方向ＡＪに沿って徐々に変化している。
【００２５】
保持部５２は蛍光体プレート５１を変位可能に保持している。具体的には、蛍光体プレート５１が方向ＡＪにおいてスライド可能な構造が保持部５２によって設けられている。この構造は、ねじ送り構造のように手動によるものであってもよく、その場合、コストを抑えることができる。またこの構造は、モータのようなアクチュエータによるものであってもよく、その場合、マルチスクリーン１０５（図１）を見ながらの色度調整が容易となる。
【００２６】
以上の構成から色度調整部５０は、蛍光体プレート５１を変位させることにより透過成分および波長変換成分の強度比を調整することができる。言い換えれば、青色ＬＥＤ１０Ｂによって生成された青色光のうち、波長が変化せずに透過するものと、蛍光体プレート５１の蛍光体による光の吸収および放出によってその波長が変換されたものとの強度比が調整可能である。これにより、青色ＬＥＤ１０Ｂからの青色（Ｂ）光の色度を補正することができる。
【００２７】
蛍光体プレート５１は、量子ドットにより構成された蛍光体を含有することが好ましい。これによりストークスシフトが過度に大きくならないようにすることができる。このような蛍光体として、たとえば、シグマアルドリッチ(SIGMA-ALDRICH)社製の量子ドット蛍光体「ＣｄＳｅ  ４８０」（製品名）を用いることができる。図５にこの蛍光体の励起波長と発光波長との関係を示す。
【００２８】
また本実施の形態においては、ＲＧＢ光の合成のためのダイクロイックフィルタ１６、１７が、色度調整部５０とライトバルブ２（図２）との間の光路上に位置している。具体的には、蛍光体プレート５１からの光は、ダイクロイックフィルタ１６の透過、またはダイクロイックフィルタ１７での反射によって、矢印ＬＰ（図３）に示すようにライトバルブ２へと向かう。蛍光体プレート５１の蛍光体が赤色（Ｒ）光を発光したとすると、この光は、ダイクロイックフィルタ１６で反射されることによって出力光（図３：矢印ＬＰ）から除外される。また蛍光体プレート５１の蛍光体が緑色（Ｇ）光を発光したとすると、この光は、ダイクロイックフィルタ１７を透過することによって出力光（図３：矢印ＬＰ）から除外される。このように、蛍光体プレート５１の蛍光体が青色（Ｂ）光の波長領域よりも長い波長領域の光を発光したとしても、そのような光はダイクロイックフィルタ１６および１７によって遮断される。したがって、蛍光体プレート５１の蛍光体の発光に、たとえば５００ｎｍ程度以上の長波長成分が含まれていたとしても（図５参照）、最終的に得られる青色（Ｂ）光の色純度の劣化が避けられる。
【００２９】
図６を参照して、複数の青色ＬＥＤ１０Ｂ間では、通常、その発光波長にばらつきがある。発光のピーク波長は、たとえば４５２ｎｍ程度以上４６５ｎｍ程度以下の間でばらつく。
【００３０】
一方、蛍光体プレート５１の蛍光体の発光波長は、青色ＬＥＤ１０Ｂからの光、すなわち励起光、の波長ばらつきには依存せず、そのピーク波長を安定的に、たとえば４８０ｎｍ程度とすることができる。このピーク波長は、蛍光体の製造プロセスによって調整可能であり、たとえばその粒子径によって調整可能である。
【００３１】
仮に青色（Ｂ）の色合わせを電気的な信号処理に頼って行う場合、赤色ＬＥＤ１０Ｒおよび緑色ＬＥＤ１０Ｇのレベルを調整することでそれらからの光を青色ＬＥＤ１０Ｂからの光と混ぜることにより青色（Ｂ）の色度が調整される。青色ＬＥＤ１０Ｂの発光波長が４６５ｎｍ程度のように比較的長い場合、この方法にような調整も比較的有用である。なぜならば、青色ＬＥＤ１０Ｂの発光に、視覚的に紫成分が少ないためである。しかし発光波長が４５２ｎｍ程度のように比較的短くなると、視覚的な色が青色から紫色へと変化する。この場合、発光波長の単純な短波長化と、青色および赤色の混色との区別がつきにくく、よって色合わせが難しい。このため、マルチ表示装置１００（図１）に含まれるいずれかの投射型表示装置９０が有する青色ＬＥＤ１０Ｂの発光波長のピークが４６５ｎｍ程度未満、特に４５２ｎｍ程度以下の場合、電気的な信号処理にのみ依存するのではなく、蛍光体プレート５１を用いて青色（Ｂ）の色度調整を行なうことが、特に有用である。
【００３２】
図７を参照して、蛍光体プレート５１による調整においては、青色ＬＥＤ１０Ｂの発光波長が短い場合（図中、破線参照）は、実質的に機能する蛍光体の密度を高く調整することで、たとえば４８０ｎｍ程度の、より長波長の光に変換される量が増やされる。たとえば、青色ＬＥＤ１０Ｂから生成された光が、蛍光体プレート５１における蛍光体密度が高い位置Ｐ２（図４）に照射される。この場合、青色ＬＥＤ１０Ｂ自体からの光に対して、蛍光体プレート５１の蛍光体からの光がより多く合成される。これにより、蛍光体プレート５１を透過後の光は、図中実線で示すように、青色ＬＥＤ１０Ｂ自体の発光特性と比較して長波長側が太った特性になる。結果的に、合成された発光特性は、青色ＬＥＤ１０Ｂの発光波長が長波長側にシフトした場合に、色度の上で近いものとなる。つまり、より波長の長い青色ＬＥＤからの光と色度上等価な光への補正が行なわれる。
【００３３】
逆に青色ＬＥＤ１０Ｂの発光波長が長い場合は、実質的に機能する蛍光体の密度が低く、またはゼロとされる。たとえば、青色ＬＥＤ１０Ｂから生成された光が、蛍光体プレート５１における蛍光体密度が低い位置Ｐ１（図４）に照射される。これにより、蛍光体プレート５１による波長変換量が少なくなり、青色ＬＥＤ１０Ｂ自体の光が支配的となる。
【００３４】
図８は、赤色ＬＥＤ１０Ｒが生成する光、緑色ＬＥＤ１０Ｇが生成する光、青色ＬＥＤ１０Ｂが生成する光、および、青色ＬＥＤ１０Ｂから生成されかつ蛍光体プレート５１を透過した光の各々の色度の例を示すＣＩＥ色度図である。図中、矢印は、蛍光体プレート５１の変位による青色（Ｂ）光の色度調整範囲を示している。
【００３５】
本実施の形態によれば、各投射型表示装置９０が、青色ＬＥＤ１０Ｂとスクリーン領域５との間の光路上に配置された色度調整部５０を有する。これにより、調整が特に難しい青色について、投射型表示装置９０間での色の違いを抑えることができる。よってスクリーン領域５間での色の不連続性を抑えることができる。よってマルチスクリーン１０５におけるスクリーン領域５間のつなぎ目を、観察者にとってより目立たないものとすることができる。
【００３６】
上記のように青色（Ｂ）光の調整が可能なことから、青色ＬＥＤ１０Ｂの発光波長の誤差をより許容し得る。結果的に、青色ＬＥＤ１０Ｂをより低いコストで準備することができる。
【００３７】
また蛍光体プレート５１は、青色ＬＥＤ１０Ｂの光の波長をより長い波長に変換する。これにより、より短い波長への変換が行なわれる場合に比して、比視感度を大きくすることができる。
【００３８】
蛍光体プレート５１は、単位面積当たり相対的に低い蛍光体密度を有する位置Ｐ１と、単位面積当たり相対的に高い蛍光体密度を有する位置Ｐ２とを有する。また色度調整部５０は、蛍光体プレート５１を変位可能に保持する保持部を有する。これらの構成により、蛍光体プレート５１を通る光軸を位置Ｐ１およびＰ２の間で調整することで色度を調整することができる。
【００３９】
色度調整部５０は、青色ＬＥＤ１０Ｂとライトバルブ２との間の光路上に配置されており、赤色ＬＥＤ１０Ｒおよび緑色ＬＥＤ１０Ｇの各々とライトバルブ２との間の光路から外れて配置されている。これにより、青色（Ｂ）光の色度を調整するための色度調整部５０が赤色（Ｒ）光および緑色（Ｇ）光に影響することが避けられる。
【００４０】
ダイクロイックフィルタ１６、１７は、赤色ＬＥＤ１０Ｒ、緑色ＬＥＤ１０Ｇおよび色度調整部５０の各々とライトバルブ２との間の光路上に配置されている。これによりダイクロイックフィルタを、ＲＧＢの合成のためだけでなく、色度調整部５０によって発生し得る、波長の過度に長い光を除去するためにも用いることができる。よって、赤色（Ｒ）または緑色（Ｇ）の成分を有する光を発光する蛍光体であっても、青色（Ｂ）の色純度の低下をともなうことなく、用いることができる。
【００４１】
蛍光体プレート５１が、量子ドットにより構成された蛍光体を含有する場合、蛍光体のストークスシフトを小さくできる。よって蛍光体プレート５１からの蛍光の波長と、蛍光体プレート５１を透過する青色ＬＥＤ１０Ｂからの光の波長との相違が過度に大きくならないようにすることができる。この結果、色度調整部５０からの青色の純度を高めることができる。また、蛍光体プレート５１からの不要な長波長成分が少なくなるため、実際に利用し得る光をより効率的に発生させることができる。なお蛍光体は、量子ドット蛍光体に限定されるものではなく、たとえば、酸化物系、硫化物系、ＹＡＧ（イットリウム・アルミニウム・ガーネット）系などのものが使用されてもよい。
【００４２】
なお本実施の形態においては光源ユニット（ＲＧＢ光源合成ユニット１）におけるＲＧＢの光源としてＬＥＤが用いられているが、ＲＧＢの光源はＬＥＤに限定されるものではなく、たとえばレーザが用いられてもよい。また、マルチ表示装置１００（図１）において、その発光波長のピークが比較的短い青色ＬＥＤが存在する場合に本実施の形態が特に有用である旨を述べたが、発光波長がより長い場合であっても本実施の形態を適用することが可能である。
【００４３】
また蛍光部材（蛍光体プレート５１）の変位は、直線移動（図４：矢印ＡＪ）に限定されるものではなく、たとえば回転移動であってもよい。また蛍光部材の形状はプレート状に限定されるものではない。
【００４４】
また投射型表示装置９０（図２）は、マルチ表示装置１００（図１）を構成するものとして特に優れているが、必ずしもこの用途に限定されるものではない。投射型表示装置９０によれば、映像における青色の色度の調整を、信号処理にのみ依存せず、光源のＲＧＢのＲ（青色）自体の調整によって行なうことができる。
【００４５】
本発明は、その発明の範囲内において、実施の形態を適宜、変形、省略することが可能である。
【符号の説明】
【００４６】
１  ＲＧＢ光源合成ユニット（光源ユニット）、１Ｃ  補正済光源合成ユニット、２  ライトバルブ、５  スクリーン領域、１０Ｂ  青色ＬＥＤ（青色固体光源）、１０Ｇ  緑色ＬＥＤ（緑色固体光源）、１０Ｒ  赤色ＬＥＤ（赤色固体光源）、１６，１７  ダイクロイックフィルタ、５０  色度調整部、５１  蛍光体プレート（蛍光部材）、５２  保持部、９０  投射型表示装置、１００  マルチ表示装置、１０５  マルチスクリーン、Ｐ１  位置（第１の位置）、Ｐ２  位置（第２の位置）。
【図１】
2015197592.tif 000003
【図２】
2015197592.tif 000004
【図３】
2015197592.tif 000005
【図５】
2015197592.tif 000006
【図６】
2015197592.tif 000007
【図７】
2015197592.tif 000008
【図８】
2015197592.tif 000009
【図４】
2015197592.tif 000010